(57)【要約】【課題】  プラスチックケースに入れても溶解しずらく、環境に優しい消しゴムを提供する。【解決手段】  オレフィン系合成樹脂材料に分解性合成樹脂材料を添加剤として混合して立体的に形成してなる本体を適宜の大きさに裁断してなる。【選択図】        図１
2005088503.tif 000002
【特許請求の範囲】
【請求項１】
オレフィン系合成樹脂材料に分解性合成樹脂材料を添加剤として混合して立体的に形成してなる本体を適宜の大きさに裁断してなることを特徴とする消しゴム。
【請求項２】
請求項１に記載の消しゴムであって、
オレフィン系合成樹脂材料と、分解性合成樹脂材料とをペレット状にして一度にブレンドしてなることを特徴とする消しゴム。
【請求項３】
請求項１又は請求項２に記載の消しゴムであって、
オレフィン系合成樹脂材料は、熱可塑性エラストマーにゴム材料を配合してなることを特徴とする消しゴム。
【請求項４】
請求項１乃至請求項３の何れか１項に記載の消しゴムであって、
分解性合成樹脂材料は、熱乾燥を要しない光分解性合成樹脂材料よりなることを特徴とする消しゴム。
【請求項５】
請求項１乃至請求項３の何れか１項に記載の消しゴムであって、
分解性合成樹脂材料は、熱乾燥を要する生分解性合成樹脂材料よりなることを特徴とする消しゴム。
【請求項６】
請求項１乃至請求項５の何れか１項に記載の消しゴムであって、
本体の周囲には、本体と同一性材料よりなるカバーを巻装させてなることを特徴とする消しゴム。
【発明の詳細な説明】
【技術分野】
【０００１】
本発明は、鉛筆等の字を消せる字消し用消しゴムに関する。
【背景技術】
【０００２】
従来一般に使用されている消しゴムは、例えば、ポリ塩化ビニル系樹脂が９５％ほど主素材として使用されているものがある。このポリ塩化ビニル系樹脂には、軟化させるための可塑剤が含まれている（例えば、特許文献１。）。
【特許文献１】特開２０００−１５３６９６号公報
【発明の開示】
【発明が解決しようとする課題】
【０００３】
しかしながら、このような従来の技術にあっては、前記一般の消しゴムには可塑剤が含まれているため、プラスチック製の鉛筆皿やケース類が、消しゴムに含まれる可塑剤によって溶解される可能性があり、商品性の向上が望まれている。
【０００４】
また、消しゴムの主成分であるポリ塩化ビニル系樹脂は、燃焼時或いは廃棄時に有毒ガスが発生する傾向にあり、環境劣悪化を促進するおそれがあり、環境に優しい製品を求める昨今の傾向に逆らうおそれがある。このために、消しゴムの滓ですら不燃ゴミ扱いである。
【０００５】
本願発明は、このような従来の技術に着目してなされたものであり、プラスチックケースに入れても溶解しずらく、環境に優しい消しゴムを提供するものである。
【課題を解決するための手段】
【０００６】
請求項１記載の発明は、オレフィン系合成樹脂材料に分解性合成樹脂材料を添加剤として混合して立体的に形成してなる本体を適宜の大きさに裁断してなることを特徴とする。
【０００７】
請求項２記載の発明は、請求項１に記載の消しゴムであって、オレフィン系合成樹脂材料と、分解性合成樹脂材料とをペレット状にして一度にブレンドしてなることを特徴とする。
【０００８】
請求項３記載の発明は、請求項１又は請求項２に記載の消しゴムであって、オレフィン系合成樹脂材料は、熱可塑性エラストマーにゴム材料を配合してなることを特徴とする。
【０００９】
請求項４記載の発明は、請求項１乃至請求項３の何れか１項に記載の消しゴムであって、分解性合成樹脂材料は、熱乾燥を要しない光分解性合成樹脂材料よりなることを特徴とする。
【００１０】
請求項５記載の発明は、請求項１乃至請求項３の何れか１項に記載の消しゴムであって、分解性合成樹脂材料は、熱乾燥を要する生分解性合成樹脂材料よりなることを特徴とする。
【００１１】
請求項６記載の発明は、請求項１乃至請求項５の何れか１項に記載の消しゴムであって、本体の周囲には、本体と同一性材料よりなるカバーを巻装させてなることを特徴とする。
【発明の効果】
【００１２】
請求項１記載の発明によれば、オレフィン系合成樹脂材料に分解性合成樹脂材料を添加剤として混合して立体的に形成してなる本体を適宜の大きさに裁断してなるため、かかる消しゴムは常温で使用できる可塑剤がないので、プラスチックケースに入れても溶解しずらい。また、分解性合成樹脂材料により土に還ることで、環境に優しいことになる。
【００１３】
請求項２記載の発明によれば、オレフィン系合成樹脂材料と、分解性合成樹脂材料とをペレット状にして一度にブレンドしてなることにより、かかる消しゴムの形成時に高温にならず、分解性合成樹脂材料の性質を維持できる。
【００１４】
請求項３記載の発明によれば、オレフィン系合成樹脂材料は、熱可塑性エラストマーにゴム材料を配合してなるため、かかる消しゴムは、弾力性を有し、字消し中に折れにくいことになる。
【００１５】
請求項４記載の発明によれば、分解性合成樹脂材料は、熱乾燥を要しない光分解性合成樹脂材料よりなることにより、製造原価が安価になる。
【００１６】
請求項５記載の発明によれば、分解性合成樹脂材料は、熱乾燥を要する生分解性合成樹脂材料よりなることにより、土に還る速度が速くなる。
【００１７】
請求項６記載の発明によれば、本体の周囲には、本体と同一性材料よりなるカバーを巻装させてなることにより、本体の汚れが防止できるばかりか、製造原価が安価になる。
【発明を実施するための最良の形態】
【００１８】
プラスチックケースに入れても溶解しずらく、環境に優しい消しゴムを提供するという目的を、オレフィン系合成樹脂材料に分解性合成樹脂材料を添加剤として混合して立体的に形成してなる本体を適宜の大きさに裁断してなることで、実現した。
【実施例１】
【００１９】
図１は、本願発明の第１実施例を示す図である。符号１は、消しゴムで、該消しゴム１は、本体２とカバー３とよりなる。本体２は、ポリエチレン系樹脂、ポリプロピレン系樹脂、スチレン・ブタジエン系樹脂の単体又は混合体から選択されるオレフィン系合成樹脂材料が主成分として配合され、該オレフィン系合成樹脂材料に光分解性合成樹脂材料を添加剤として混合して、長尺Ｌが５０ミリメートル程度、短尺Ｈが１８ミリメートル程度、厚さＷが１１ミリメートル程度の立体的に形成してなる。上記の大きさに裁断したものを本体２と呼称しても、裁断される前にものを本体２と呼称しても良い。
【００２０】
前記消しゴム１の本体２の主成分である熱可塑性エラストマーよりなるオレフィン系合成樹脂材料にゴムその他の公知の充填剤を混合すると共に、光分解性合成樹脂材料をペレット状にして押し出し成形機で一度にブレンドして押し出し成形する。配合例を示すと、
オレフィン系合成樹脂    ７７重量％
光分解性合成樹脂材料    ２０重量％
その他                    ３重量％
で、配合割合も、硬質鉛筆、軟質鉛筆など字消し用の用途に応じて、適宜選択される。
【００２１】
光分解性合成樹脂材料は、非澱粉系であるので、袋を開封したら促進を開始する性質を有するため、わざわざ熱乾燥工程を必要としない。
【００２２】
前記カバー３は、本体２の周囲に巻装させてなり、本体２と同一性材料よりなる。
【００２３】
従って、消しゴム１はオレフィン系合成樹脂材料に光分解性合成樹脂材料を添加剤として混合して立体的に形成してなる本体２を適宜の大きさに裁断してなるため、かかる消しゴム１は常温で使用できる可塑剤がないので、プラスチックケースに入れても溶解しずらい。
【００２４】
また、消しゴム１がオレフィン系合成樹脂材料に光分解性合成樹脂材料を添加剤として混合してなるので、例えばオレフィン系合成樹脂材料がポリエチレン樹脂であるとすると、その分子構造の−ＣＨ２−ＣＨ２−ＣＨ２−の直鎖を切断して、直接酸化分解させる、つまり、炭素（Ｃ）と水素（Ｈ）に酸素（Ｏ）を結合させる（酸化させる）ことで、Ｈ２ＯとＣＯ２とに分解させることができ、土に還ることで、環境に優しいことになる。
【００２５】
消しゴム１の本体２もカバー３も、オレフィン系合成樹脂材料と、光分解性合成樹脂材料とをペレット状にして一度にブレンドしてなることにより、かかる消しゴム１の形成時に高温にならず、光分解性合成樹脂材料の性質を維持できる。
【００２６】
消しゴム１の本体２及びカバー３の主成分であるオレフィン系合成樹脂材料は、熱可塑性エラストマーにゴム材料を配合してなるため、かかる消しゴム１は、弾力性を有し、字消し中に折れにくいことになる。
【００２７】
消しゴム１の本体２及びカバー３の添加剤である光分解性合成樹脂材料は、熱乾燥を要しないことにより、製造工程が短くなり、製造原価が安価になる。
【００２８】
消しゴム１の本体２の周囲には、本体２と同一性材料よりなるカバー３を巻装させてなることにより、本体２の汚れが防止できるばかりか、製造原価が安価になる。
【実施例２】
【００２９】
かかる第１実施例に限定されるものではなく、次のような配合割合でも良い。即ち、前記消しゴム１の本体２の主成分である熱可塑性エラストマーよりなるオレフィン系合成樹脂材料にゴムその他の公知の充填剤を混合すると共に、澱粉質などの生分解性合成樹脂材料をペレット状にして押し出し成形機で一度にブレンドして押し出し成形する。配合例を示すと、
オレフィン系合成樹脂    ７７重量％
生分解性合成樹脂材料    ２０重量％
その他                    ３重量％
で、配合割合も、硬質鉛筆、軟質鉛筆など字消し用の用途に応じて、適宜選択される。この場合、生分解性合成樹脂材料は、熱乾燥を要するが、土に還る速度がより速くなる。その他の構成及び作用効果は、先の第１実施例と同様である。
【産業上の利用可能性】
【００３０】
以上の実施例では、消しゴム１は、本体２とカバー３とより構成することで説明したが、これに限定されるものではなく、カバー３が無くて、本体２のみでも良いし、カバー３が紙など本体２と同一材でなくても良い。
【００３１】
また、本体２の長尺Ｌ、短尺Ｈ、厚さＷの値も適宜用途に従って様々なものでも良い。
【００３２】
また、本体２とカバー３との両方或いは何れかに顔料を混合させて適宜の配色にしても良い。
【００３３】
また、混入されるゴムは、抗菌性を有することが望ましい。製造方法は、押し出し成形に限定されるものではなく、射出成形でも良い。
【図面の簡単な説明】
【００３４】
【図１】本願発明の第１実施例に係る消しゴムを示す斜視図。
【符号の説明】
【００３５】
１  消しゴム
２  本体
３  カバー
【図１】
2005088503.tif 000003